(57)【要約】      （修正有）【課題】本発明はＲＦＩＤと一体化でき、ＲＦＩＤと同様に（表示）情報の記録と消去が可能な表示媒体を提供する。【解決手段】ＲＦＩＤ付き筆記用シート７は、第１基材シート１１の表面に筆記層１２を有する表層シート１、ＲＦＩＤのインレイ２、不透水性の第２基材シート３からなり、前記表層シートは不透水性であり、前記表層シートと第２基材シートは前記インレイの面積と比較して１回り以上大きい平面領域を有し、前記表層シートの裏面と、第２基材シートの表面の間に前記インレイを密封状態に狭持し、第２基材シートの裏面に貼着／再剥離剤層３１を形成した積層構成である。【選択図】図３
2006215057.tif 000002
【特許請求の範囲】
【請求項１】
第１基材シートの表面に筆記層を有する表層シート、ＲＦＩＤのインレイと不透水性の第２基材シートからなり、
前記表層シートは不透水性であり、前記表層シートと第２基材シートは前記インレイの面積と比較して１回り以上大きい平面領域を有し、前記表層シートの裏面と、第２基材シートの表面の間に前記インレイを密封状態に狭持し、第２基材シートの裏面に貼着及び再剥離性を有する貼着／再剥離剤層を形成した積層構成のＲＦＩＤ付き筆記用シート。
【請求項２】
前記積層構成中の、第１基材シート裏面と前記貼着／再剥離剤層の間のいずれかの位置に緩衝性基材を挟み込んだ請求項１記載のＲＦＩＤ付き筆記用シート。
【請求項３】
前記貼着／再剥離剤層は、自己粘着性樹脂により形成されるか、又は、水洗が可能で、水洗後に乾燥すると再付着が可能となる粘着剤により形成された請求項１乃至２いずれか記載のＲＦＩＤ付き筆記用シート
【発明の詳細な説明】
【技術分野】
【０００１】
本発明は繰り返しの筆記と消去が可能な筆記用シート（一例はホワイトボードの筆記面シートである）とＲＦＩＤのインレイを一体とし、この一体物を物品や部品箱などに貼り付け可能にしたＲＦＩＤ付き筆記用シートに関するものである。
【背景技術】
【０００２】
ＲＦＩＤは、ＩＣタグ、ＲＦタグ、無線タグ、電子タグなどとも呼ばれるもので、これを貼付された物などと、その物に関する情報とを一体化させる目的で使用される。インレイは、ＰＥＴなどの基材フィルム上にアンテナとアンテナに連結されたＩＣチップが固定されたＲＦＩＤの回路単位をいう。
【０００３】
従来のＲＦＩＤカードは、インレイが表面シートと裏面シートに挟まれている（例えば、特許文献１参照。）。
従来のＲＦＩＤが使用される場合には、ＲＦＩＤが貼付される物などの情報はＲＦＩＤに電磁的に収納されており、リーダを使って電磁的手段で当該情報が読み出される。従来のＲＦＩＤカードの表面と裏面は情報伝達のための面ではなく、通常、固定的な印刷面となっている。
【０００４】
【特許文献１】特開２０００−６５６０号公報
【発明の開示】
【発明が解決しようとする課題】
【０００５】
情報の送受信が全て電磁気的に、すなわち人の知覚不可能な状態で行われると、人による操作、確認、監視等作業に対する興味がうすれ、作業の効率が損なわれることがある。例えば、工場の組立てラインでＲＦＩＤが使用される場合、ＲＦＩＤに記憶された作業指示、組み付け部品などが、リーダに連結されたモニタに示されるのみであれば、作業者は、機械に使われている気分となり、不安感が生じて、作業の効率が落ちることがある。
また、ＲＦＩＤの通信距離はアンテナを大きくしてもせいぜい１ｍ程度である。部品箱などは、より遠距離からその存在、内容物などを確認したい場合もある。
【０００６】
そこで、本発明はＲＦＩＤと一体化でき、ＲＦＩＤと同様に（表示）情報の記録と消去が可能な表示媒体を得ることを課題とする。また、本発明はＲＦＩＤ付き表示媒体を実用化するに伴い遭遇した技術的問題点を解決したものである。
本発明のその他の課題は、以下の本発明の説明により明らかになる。
【課題を解決するための手段】
【０００７】
発明者は、ＲＦＩＤと表示媒体について考察し以下の知見を得た。
すなわち、ＲＦＩＤに記録される電磁的情報は、ともすれば人の知覚に依存する情報（例えば文字等）を置換するものと考えられがちであるが、当該電磁的情報と知覚情報は相互に補完的な情報である場合がある。
電磁的情報に付加して、機械や部品箱に文字（図形、色などを含む、以下同じ）書きで同様な情報を表示しておくと、情報に接する者（例えば作業者）の安心感、信頼感がより高くなる。また、文字情報はより遠い距離から視覚可能となる場合もある。
【０００８】
一方、ＲＦＩＤは情報の記録と消去が可能である。ＲＦＩＤと表示媒体の一体物を繰り返して使用するために、補完的情報である文字情報も記録と消去が可能なことが必要と考えられる。さらに、ＲＦＩＤの繰り返し使用を考慮に入れると、表示媒体が物品などと一体となりまた分離されることが必要となる。
【０００９】
そこで本発明は、筆記媒体として、ホワイトボード用シートを選択し、これとＲＦＩＤを一体化し、さらに、この一体物を物品に貼着・再剥離するための機能を担う、貼着／再剥離剤層を形成したものである。
【００１０】
本発明の一の態様においてＲＦＩＤ付き筆記用シートは、第１基材シートの表面に筆記層を有する表層シート、ＲＦＩＤのインレイと不透水性の第２基材シートからなり、前記表層シートは不透水性であり、前記表層シートと第２基材シートは前記インレイの面積と比較して１回り以上大きい平面領域を有し、前記表層シートの裏面と、第２基材シートの表面の間に前記インレイを密封状態に狭持し、第２基材シートの裏面に貼着及び再剥離性を有する貼着／再剥離剤層を形成した積層構成である。
【００１１】
このＲＦＩＤ付き筆記用シートは、インレイが不透水性のシート間に密封されている。このため、筆記面を水抜きしても回路モジュール部分は水の影響を受けることがない。また、筆記用シートは物などに貼着／再剥離剤層によって貼り付けられるので、例えば、マグネット板を使用する場合のようにＲＦＩＤとリーダ／ライタ間の電磁波の送受信に悪影響を及ぼすことがない。
【００１２】
本発明にかかるＲＦＩＤ付き筆記用シートの好ましい実施態様において、前記積層構成中の、第１基材シート裏面と貼着／再剥離剤層の間のいずれかの位置に緩衝性基材を挟み込んでもよい。
【００１３】
緩衝性基材とは一定の厚さを有し、また、一定の柔らかさを有する部材を意味する。ＲＦＩＤ付き筆記用シートが貼り付けられる物などの表面は、平面に限られず段差があったり、金網や樹脂性の網目であったりする。緩衝性基材は物の表面の状態にかかわらず筆記面を一定の平坦状態に保つ。よって、本好ましい実施態様にかかるＲＦＩＤ付き筆記用シートの表面は平坦性を保ち、筆記がより行いやすくなる。
【００１４】
本発明にかかるＲＦＩＤ付き筆記用シートの他の好ましい実施態様において、前記貼着／再剥離剤層は、自己粘着性樹脂により形成されるか又は水洗が可能で、水洗後に乾燥すると再付着が可能となる粘着剤により形成されてもよい。
【００１５】
本好ましい実施態様にかかるＲＦＩＤ付き筆記用シートは、貼着／再剥離剤層を、自己粘着性樹脂により形成するか、又は、水洗が可能で、水洗後に乾燥すると再付着が可能な粘着剤（以後可洗粘着剤と呼する）により形成した。工場の組立てライン等では、砂ぼこりが多い場所もあり、また網目状である物品の表面に貼り付けると、網目の開口部に対面する粘着面には異物が付着し易い。本好ましい実施態様ではＲＦＩＤ付き筆記用シートを物品から剥離した後に、ＲＦＩＤ付き筆記用シートの表面、裏面共に水洗いすることができる。このときインレイは不透水状態に密封されており、水洗してもインレイに水が浸入することはなく、インレイを痛めることはない。裏面の水洗により貼着／再剥離剤層の露出面から異物が取り除かれ、当該面の粘着力が回復する。同時に、表面の水洗により、筆記したインキ等が取り除かれ、筆記面の再使用が可能となる。
【００１６】
以上説明した本発明の好ましい実施態様、好ましい実施態様に含まれる構成要素は可能な限り組み合わせて実施することができる。
【発明の効果】
【００１７】
本発明によって、ＲＦＩＤと一体化され、表示情報の記録と消去が可能であり、物品などに貼付け・取り外しが容易なＲＦＩＤ付き筆記用シートを得ることができる。ＲＦＩＤ付き筆記用シートを使用すれば、ＲＦＩＤに記録された電磁情報と共に、機械や部品箱に文字書きで同様な情報を表示でき、情報に接する者の安心感、信頼感がより高くなる。また、文字情報はより遠い距離から視覚可能となる場合もあり、一層情報に接する者の安心感、信頼感が高まる効用がある。
【発明を実施するための最良の形態】
【００１８】
以下に図を参照しながら、本発明にかかるＲＦＩＤ付き筆記用シートをさらに説明する。この発明の実施例に記載されている部材や部分の寸法、材質、形状、その相対位置などは、とくに特定的な記載のない限りは、この発明の範囲をそれらのみに限定する趣旨のものではなく、単なる説明例にすぎない。
【００１９】
図１はＲＦＩＤ付き筆記用シートを、部品箱の情報表示板として使用する状態を説明する説明図である。
ＲＦＩＤ付き筆記用シート７は部品箱７１の一の側面に貼付けられている。ＲＦＩＤ付き筆記用シート７の表面に、部品の内容がホワイトボード用のフェルトペンで書かれている。ＲＦＩＤ付き筆記用シート７に含まれているＲＦＩＤには、部品の内容と組み付け情報が記憶されている。当該情報は、リーダ／ライタ付のモニタ７２に無線で伝送され、モニタ７２に表示される。７３は組立て途中の機械である。作業者は、モニタ７２で詳細な情報を得るとともに、ＲＦＩＤ付き筆記用シート７の表面に記載された文字情報から、部品の概要を知ることができる。また、部品手配の担当者などが、離れた位置からＲＦＩＤ付き筆記用シート７の表面に記載された文字情報を読みとることができる。
【００２０】
組立てラインでの作業が変更される場合には、ＲＦＩＤ付き筆記用シート７を取り外して、別の部品箱に貼り付けることができる。同時に、ＲＦＩＤの情報を電磁的に書き替え、また、筆記面の文字を筆記（場合によっては印刷手段）により書き換えることができる。筆記面の消去は、フェルトなどの布で拭き取る、水拭きをするなど、通常のホワイトボードの筆記文字消去と同じ方法で行うことができる。
【００２１】
図２はＲＦＩＤ付き筆記用シート７を説明する分解斜視説明図、図３はＲＦＩＤ付き筆記用シート７を説明する断面説明図である。
ＲＦＩＤ付き筆記用シート７は、表層シート１、インレイ２、第２基材シート３がこの順に積層されて形成されている。
【００２２】
表層シート１としては、いわゆるホワイトボードと称される水性又は油性のフェルトペン等で書き、拭取りにより消去できる筆記板の表面に設けられたシートと同一のシートが使用できる。表層シートの色は、白色であると、筆記用フェルトペンは大部分の色が使用可能となる観点から好ましい。しかし、筆記用フェルトペンとして特定の色を選択する場合には、表層シートは白色以外の色であってもよい。例えば表層シートを黒色とし、白色のフェルトペンを使用して筆記することにしてもよい。
【００２３】
表層シート１は第１基材シート１１と筆記層１２から成る。第１基材シート１１の材料としては、ポリエステル（例えばＰＥＴ）、ポリエチレン、ポリ塩化ビニル、ポリ塩化ビニリデン、ポリカーボネート、ポリスチレン、ポリアクリロニトリル、ナイロン等が使用できる。また、生分解性プラスチック（例えばＬ乳酸樹脂）であってもよい。
【００２４】
第１基材シートの厚さは５０μｍ〜５００μｍ程度である。上記した合成樹脂材料を使用すれば、表層シートは、この程度の厚さで事実上不透水性となる。
第１基材シート１１は、透明であっても白色であってもよい。
白色の第１基材シートは上述の材料に白色顔料を練り込んで作ることができる。透明の第１基材シートは、白色顔料を含む塗料を塗布したり、白色シートを重ね合わせたりして、白色の第１基材シートと同様に使用することができる。白色シートとしては無数の穴を有する発泡フィルムや以下に述べる緩衝性基材（例えば不織布や合成ゴムなど）などを挙げることができる。
【００２５】
筆記層１２は、筆記インクが基材シートの層内部に浸透せず消去が容易(易消去)となる等の目的で設けられる。筆記層１２はシラン系の熱硬化型樹脂やアクリル系の紫外線硬化型樹脂を硬化させて形成される。
第１基材１１の表面に筆記層１２を付けるには、第１基材シート１１の上に前記硬化樹脂を直接塗布して架橋硬化させたり、ポリエステルフィルム等の透明プラスチックフィルムに上記の樹脂を塗布し架橋硬化した後に、粘着剤を介して第１基材シート１１と貼り合せたりすればよい。
筆記層１２には、防眩性を付与するために表面にエンボス加工をしたり、筆記層中にシリカ微粉末を分散させたりしてもよい。
【００２６】
次にインレイ２を説明する。
基材フィルムである厚さ５０μｍの合成紙２３上にスクリーン印刷により形成したアンテナ２１を、導電性ペーストを用いて接着する。このアンテナ２１の上にＩＣチップ２２を導電的に固定し、回路モジュールとなる部分を作製する。この回路モジュール上に厚さ３００μｍのＥＶＡ系接着シート、および厚さ５０μｍのポリエステルフィルムで保護層（図示していない）を形成した。なお、上記したインレイは一例であり、他の構造、製作方法によるインレイであっても、本発明のインレイとして使用できる。
【００２７】
インレイの平面面積に特に制限はない。しかし、インレイの平面面積を大きくすると、回路モジュール設計、製造上の制限が少なくなり、ＲＦＩＤの電波到達距離を長くすることが容易となる。このため、矩形のインレイの場合、短辺の長さを１００ｍｍ以上として、インレイの平面面積を比較的大きくすることが好ましい。その他の形状のインレイの場合には同等の平面面積以上とすることが好ましい。例えば、１４３ｍｍ×１７５ｍｍのインレイを使用することができる（この場合には、ＲＦＩＤ付き筆記用シートの全体は、例えばＡ４サイズとする）。
【００２８】
不透水性の第２基材シート３の材料は特に限定されず、不透水性となる厚さの合成樹脂シート、油紙、ゴム引きの布などを使用することができる。合成樹脂シートの材料は、ポリエステル（例えばＰＥＴ）、ポリエチレン、ポリ塩化ビニル、ポリ塩化ビニリデン、ポリカーボネート、ポリスチレン、ポリアクリロニトリル、ナイロン等が使用できる。また、生分解性プラスチック（例えばＬ乳酸樹脂）であってもよい。
【００２９】
第２基材シート３の一方表面には貼着／再剥離剤層３１が形成される。貼着／再剥離剤層３１を形成する材料としては、(1)自己粘着性樹脂、(2)可洗粘着剤（水洗が可能で、水洗後に乾燥すると再付着が可能となる粘着剤）、(3)通常の粘着剤等を例示することができる。ＲＦＩＤ付き筆記用シートを再剥離後に、水洗により洗浄が可能であり、その後再貼着可能である観点から、自己粘着性樹脂及び可洗粘着剤が好ましい材料である。
【００３０】
自己粘着性樹脂とは、自着性樹脂とも呼ばれるものであり、自己密着性、表面弱粘着性を有する柔軟な樹脂を意味している。また、別の表現をすれば、当該樹脂を樹脂層（貼着／再剥離剤層３１）にした場合、被着体に粘着性と樹脂の柔軟性などにより容易に密着して貼着することができ、しかも、一旦貼着すると一定の強度で被着体に密着しており、簡単な擦過等では容易には剥離しないが、該樹脂層の端部から指などで捲くり剥がせば容易に剥離することができる機能を発現することができる樹脂を意味している。従って、自己粘着性樹脂は、フィルムやシートなどの薄膜状に成形した場合、貼着・再剥離が自在な（着脱自在な）機能を発現できる柔軟な樹脂である。
【００３１】
自己粘着性樹脂としては、ポリオレフィンエラストマー、ポリエチレンエラストマー、ポリウレタンエラストマー、シリコン樹脂、ブチルゴム、軟質ポリ塩化ビニル、フッ素系樹脂等が挙げられる。このような自己粘着性樹脂は、ゴミ等が付着して自己粘着性が落ちたときは、水洗することにより自己粘着性を簡単に回復することができる利点がある。
【００３２】
可洗粘着剤の例として、ポリウレタン粘着剤組成物の成分として、分子内に芳香族環及びポリオキシアルキレン基を有する、ポリエーテルジオール及び／又はポリエステルジオールを主成分とするジオール成分と、ポリエーテルトリオールとを所定比率で配合したポリオール成分（Ａ）と、脂肪族又は脂環族ポリイソシアネート、またはそれらを用いた末端にイソシアネート基を有するプレポリマーから成るポリイソシアネート成分（Ｂ）とを使用する可洗粘着剤（特開２００３−２２１５７０号公報）を例示することができる。また、他の可洗粘着剤の例としては、(1)放射線硬化性樹脂と、(2)架橋構造を有するポリエチレングリコール化合物とからなり、放射線照射により反応して得られる重合物を主成分とする感圧性接着剤（特開平７−２２８８５８号公報）を例示することができる。
【００３３】
通常の粘着剤とは、例えば、従来より、粘着性ラベルの粘着剤として多用されている、感圧性の粘着剤（pressure-sensitive adhesive）をいう。このような粘着剤として公知の粘着剤（例えば、アクリル系、ゴム系、ウレタン系などの粘着剤）を例示することができる。
【００３４】
貼着／再剥離剤層３１は、剥離紙３２で覆われている。剥離紙３２は公知の剥離シートを使用でき、例えばシリコン樹脂を塗布した上質紙、ふっ素樹脂を塗布した合成樹脂シートなどが挙げられる。
【００３５】
表層シート１と第２基材シート３はインレイ２の面積と比較して１回り以上大きい平面領域を有し、表層シート１の裏面と、第２基材シート３の表面の間にインレイ２を密封状態に狭持している。図２、図３を参照して、インレイ２を載置した第２基材シート３の周辺領域は、糊代５３、５４、５５、５６を有している。表層シート１についても、第２基材シート３の糊代５３、５４、５５、５６に対面する領域は糊代である。インレイ２は、表面をそれぞれ不透水性の表層シート１と第２基材シート３により覆われている。インレイ２の端面部分は、表面から延設された表層シート１と第２基材シート３が互いに糊代領域で接着されている。このため、インレイ２は密閉状態に挟持され耐水性となっている。
【００３６】
インレイ２は、リーダ／ライタから電力伝送が可能なものであってもよく、電池を含むものであってもよい。インレイ２が、リーダ／ライタから電力伝送が可能なものであると、インレイ２に電池が不要となる。従ってインレイ２を薄くすることが出来、このため、上述の密閉による耐水性の付与が一層容易となる。電力伝送は、通常、電磁誘導を使った伝送が使用される。
【００３７】
接着剤層５１、５２は、通常、接着剤により形成される。接着剤は、紫外線硬化型、熱硬化型、溶剤系、水系など十分な接着（粘着）強度を得られる接着剤（粘着剤）を用いることができる。また、層間の接着は、熱融着などその他の公知の接着手段または粘着手段と代替することもできる。
【００３８】
図４は、変形実施にかかるＲＦＩＤ付き筆記用シート７ａの断面説明図である。図３で説明したＲＦＩＤ付き筆記用シート７に緩衝性基材である不織布４１が更に積層されている。ＲＦＩＤ付き筆記用シート７ａ中で、図３で説明したＲＦＩＤ付き筆記用シート７と同一の部材には、同一の符号を付している。
【００３９】
ＲＦＩＤ付き筆記用シート７ａでは、第２基材シート３と貼着／再剥離剤層３１間に、接着剤層４２を介して不織布４１が挿入されている。不織布４１は厚さ１ｍｍのものを使用した。緩衝性基材の厚さは、特に制限は無いが、１００μ〜３ｍｍが好ましく、より好ましくは０．５〜２ｍｍである。この範囲であれば、物品の表面の段差を吸収しやすく、かつ貼付け、取り外しなどの操作が容易となるからである。また、緩衝性基材を介在させると、インレイの凹凸が許容される程度が大きくなり、電池を内蔵したＲＦＩＤを採用し易くなる効果もある。
【００４０】
接着剤層４１は、接着剤層５１、５２と同様な材料で形成される。接着剤に限られず、粘着剤に置換でき、また、その他の公知の接着手段に代替可能なことも同様である。
【００４１】
緩衝性基材である不織布４１は、第１基材シート１１の下面から貼着／再剥離剤層３１の上面のいずれの層間にでも挿入が可能である。例えば、第１基材シート１１と接着剤層５１の間に挿入してもよく、インレイ２と接着剤層５２の間に挿入してもよい。
緩衝性基材は、不織布に限られず、繊維布帛（天然繊維、合成繊維を問わない）、ゴム、発泡体などを使用してもよい。繊維布帛の形態も織物、編物、不織布のいずれでもよい。
【００４２】
ＲＦＩＤ付き筆記用シート７、７ａの平面面積に特に制限はない。しかし、筆記面に記入された文字などを視認、判読容易な観点から使用目的に応じて一定大きさ以上とすることが好ましい。一般に、Ａ６サイズ以上とするとある程度の文字情報を記入可能となり、視認も容易となる。好ましくは、Ａ５サイズ以上である。平面大きさの上限は特にないが、実用上の観点からＡ０サイズ以下が好ましい。
【００４３】
本発明にかかるＲＦＩＤ付筆記用シートは、表層シート、インレイ、第１基材シート、第２基材シートなどを可撓性と柔軟性のある素材により構成することができる。このため、被貼着体（例えば部品箱など）の表面が曲面であっても、支障なく貼り付けることが可能となる。また、上記可撓性と柔軟性のある素材から構成したＲＦＩＤ付筆記用シートを平面である被貼着体に貼り付けてもよい。さらに、剛性の素材を使用して構成し、平面貼り付け用途専用としてもよい。
【産業上の利用可能性】
【００４４】
本発明にかかる、ＲＦＩＤ付き筆記用シートは例えば、工場の機械組立ての部品箱や組立て途中の機械の表示用として、倉庫の内容物表示用途に、物品輸送の伝票などとして利用される可能性がある。
【図面の簡単な説明】
【００４５】
【図１】ＲＦＩＤ付き筆記用シートを、部品箱の情報表示板として使用する状態を説明する説明図である。
【図２】ＲＦＩＤ付き筆記用シート７を説明する分解斜視説明図である。
【図３】ＲＦＩＤ付き筆記用シート７を説明する断面説明図である。
【図４】変形実施にかかるＲＦＩＤ付き筆記用シート７ａの断面説明図である。
【符号の説明】
【００４６】
１    表層シート
２    インレイ
３    第２基材シート
７、７ａ    ＲＦＩＤ付き筆記用シート
１１  第１基材シート
１２  筆記層
２１  アンテナ
２２  ＩＣチップ
２３  基材フィルム
３１  貼着／再剥離剤層
３２  剥離紙
４１  緩衝性基材である不織布
４２、５１、５２  接着剤層
５３、５４、５５、５６  糊代
７１  部品箱
７２  リーダ／ライタ付きモニタ
７３  組立て途中の機械
【図１】
2006215057.tif 000003
【図２】
2006215057.tif 000004
【図３】
2006215057.tif 000005
【図４】
2006215057.tif 000006